(57)【特許請求の範囲】
【請求項１】
コネクタハウジングとスペーサとレバーと端子とによって構成し、前記コネクタハウジングは、相手側コネクタハウジングと嵌合可能に構成され、後端面に、後方から前記端子を挿入可能に構成され、前記コネクタハウジングにはカム溝を有する前記レバーが回動可能に装着され、該レバーの回動操作によって前記相手側コネクタハウジングに設けられたカムピンが前記カム溝に沿って変位することで両コネクタハウジングが嵌合・離脱されるようになっており、前記コネクタハウジングに前記スペーサと前記レバーが組み付けられた状態において、前記端子を挿入し、前記スペーサによって該端子を仮係止状態に保持し、該スペーサの上面側のスペーサ押し面を治具によって押し込むことで、前記スペーサによって該端子を本係止状態に保持するレバー式コネクタにおいて，
前記レバーには、前記コネクタハウジングに組み付ける該レバーを仮固定する位置決めロックを設け、前記位置決めロックに治具押しスペースを形成すると共に、
前記レバーを前記仮固定の位置とした時に当該レバーから露出される前記スペーサの上面側で、前記治具押しスペースの形成位置を含む、前記スペーサの長手方向に直交する前記レバーの中心線に対称な位置に前記スペーサ押し面を形成し，
前記治具に、前記スペーサの前記スペーサ押し面を押圧する押しピンを該治具の前記スペーサの長手方向に直交する中心線で左右対称な位置に設ける
ことを特徴とするレバー式コネクタ。
【請求項２】
前記請求項１に記載のレバー式コネクタにおいて，
前記レバーは，
前記コネクタハウジングを上下から挟み込むように装着するもので、上面の配置構成と、下面の配置構成が挟持中心面で対称に構成したものである
ことを特徴とするレバー式コネクタ。
【発明の詳細な説明】
【技術分野】
【０００１】
本発明は、スペーサによりコネクタハウジング内に挿入された端子を係止するレバー式コネクタに関する。
【背景技術】
【０００２】
レバー式コネクタは、従来からよく知られている（例えば、特許文献１参照）。特許文献１において、雌コネクタ１０及び雄コネクタ３０は、雌雄一組のコネクタハウジング１１，３１を嵌合ロックされる。また、雌コネクタ１０及び雄コネクタ３０は、雌コネクタ１０のインナハウジング１１ａに回動可能に装着されたレバー４０の回動操作により、各コネクタハウジング１１，３１の嵌合ロック動作及び嵌合ロックの解除動作が行われる。
【０００３】
そして、特許文献１における保護壁１３は、レバー４０及びロックアーム１２を保護する。保護壁１３には、リテーナ挿入口１３ａが穿設されており、リテーナ挿入口１３ａには、雌型端子１７の二次係止部材であるリテーナ７０が挿入される。
また、雌コネクタ１０のインナハウジング１１ａにおける雄コネクタ３０との嵌合面と反対側の電線引出面には、仮係止用治具挿入孔１９及び本係止用治具挿入孔２０がそれぞれ、雌コネクタ１０のインナハウジング１１ａへの雌型端子１７の挿入方向に沿って設けられる。
【０００４】
特許文献１におけるリテーナ７０は、雌コネクタ１０のアウタハウジング１１ｂの保護壁１３のリテーナ挿入口１３ａから挿入され、雌コネクタ１０のインナハウジング１１ａ内に設けられたリテーナ収容部２１に収容される。リテーナ７０は、リテーナ収容部２１内において、雌コネクタ１０のインナハウジング１１ａに対して所定の仮係止位置に係止された状態で、雌型端子１７を雌コネクタ１０のインナハウジング１１ａに挿入可能とさせるとともに、所定の本係止位置に変位された状態で、雌型端子１７を雌コネクタ１０のインナハウジング１１ａに係止させる。
【先行技術文献】
【特許文献】
【０００５】
【特許文献１】特開２００７−１８８７８３号公報
【発明の概要】
【発明が解決しようとする課題】
【０００６】
このようにリテーナ７０による雌型端子１７の仮係止及び本係止を仮係止用治具挿入孔１９及び本係止用治具挿入孔２０を設け、リテーナ操作治具６０によってリテーナ７０を仮係止及び本係止を行う場合、リテーナ７０の挿入方向とリテーナ操作治具６０の挿入方向とが異なっている。このため、リテーナ７０の挿入側と、リテーナ操作治具６０の挿入側に障害となるものがあると操作できなくなる。たとえば、レバー４０の取付位置を変更しようとする場合、リテーナ７０の挿入側、またはリテーナ操作治具６０の挿入側が確保できなくなる場合も考えられる。
【０００７】
従来のレバー式コネクタにあっては、雌型端子１７の仮係止及び本係止を行うリテーナ７０を、リテーナ挿入口１３ａから挿入しても、リテーナ７０の挿入方向側からリテーナ７０を押し込むことができなかった。
【０００８】
本発明は、スペーサをスペーサ挿入側から押し込むための治具を用い、スペーサ挿入用の治具の左右方向を取り違え、あるいはレバーの取付向きを違えても、スペーサ挿入用の治具によってハウジングコネクタを傷付けるのを防止することのできるレバー式コネクタを提供することを目的としている。
【課題を解決するための手段】
【０００９】
上記課題を解決するためなされた請求項１に記載のレバー式コネクタ１は、コネクタハウジング２とスペーサ３とレバー４と端子５によって構成し、前記コネクタハウジング２は、相手側コネクタハウジングと嵌合可能に構成され、後端面に、後方から前記端子を挿入可能に構成され、前記コネクタハウジング２にはカム溝４１を有する前記レバー４が回動可能に装着され、該レバー４の回動操作によって前記相手側コネクタハウジングに設けられたカムピンが前記カム溝４１に沿って変位することで両コネクタハウジングが嵌合・離脱されるようになっており、前記コネクタハウジング２に前記スペーサ３と前記レバー４が組み付けられた状態において、前記端子５を挿入し、前記スペーサ３によって該端子５を仮係止状態に保持し、該スペーサ３の上面側のスペーサ押し面７を治具６によって押し込むことで、前記スペーサ３によって該端子５を本係止状態に保持するレバー式コネクタ１において，
前記レバー４には、前記コネクタハウジング２に組み付ける該レバー４を仮固定する位置決めロック４４を設け、前記位置決めロック４４に治具押しスペース４５を形成すると共に、
前記レバー４を前記仮固定の位置とした時に当該レバー４から露出される前記スペーサ３の上面側で、前記治具押しスペース４５の形成位置を含む、前記スペーサ３の長手方向に直交する前記レバー４の中心線に対称な位置に前記スペーサ押し面７を形成し，
前記治具６に、前記スペーサ３の前記スペーサ押し面７を押圧する押しピン６２を該治具６の前記スペーサ３の長手方向に直交する中心線で左右対称な位置に設けることを特徴とする。
【００１０】
上記課題を解決するためなされた請求項２に記載のレバー式コネクタ１は、請求項１に記載のレバー式コネクタにおける前記レバー４を，
前記コネクタハウジング２を上下から挟み込むように装着するもので、上面の配置構成と、下面の配置構成が挟持中心面で対称に構成したものであることを特徴とする。
【発明の効果】
【００１１】
請求項１に記載された本発明によれば、治具の左右方向を取り違えて左右逆にして使用してしまった場合であっても、スペーサを正しく挿入することはでき、コネクタを傷つけることを防止することができる。
【００１２】
請求項２に記載された本発明によれば、レバーの取付方向を変えた場合であっても、レバーの取付方向を考えずに、治具の使用に当たって、左右方向を考慮することなく、スペーサを正しく挿入することができ、コネクタを傷つけることを防止することができる。
【図面の簡単な説明】
【００１３】
【図１】本発明のレバー式コネクタを示す分解斜視図である。
【図２】図１に図示のレバー式コネクタを組み付けた状態で治具の使用を説明するための斜視図である。
【図３】図１に図示のレバー式コネクタのスペーサが仮係止状態にある状態を示す断面図である。
【図４】図１に図示のレバー式コネクタのスペーサが本係止状態にある状態を示す断面図である。
【図５】図２に図示のレバー式コネクタの平面図である。
【図６】図２に図示のレバー式コネクタのレバーの取付を左右反対に取り付けた状態の平面図である。
【図７】図１に図示のレバー式コネクタのレバーを示す平面図である。
【図８】図７に図示のレバー式コネクタのレバーのＢ部の拡大図である。
【図９】図５に図示のレバー式コネクタのＡ−Ａ断面図である。
【図１０】従来のレバー式コネクタのスペーサが仮係止状態にある状態を示す断面図である。
【図１１】従来のレバー式コネクタのスペーサに治具を押し当てる位置を示す図である。
【発明を実施するための形態】
【００１４】
レバー式コネクタは、コネクタハウジング，スペーサ、レバー、端子とを備える。レバーは、取付向きを左右（又は、上下）反転して装着することができるようになっている。レバーに設けられている位置決めロックは、コネクタハウジングのロック係止部に係止されレバーを仮固定するものである。治具の先端には、４本の押しピンを設け、治具の４本の押しピンがスペーサのスペーサ押し面と同じ位置（左右対称）に設定してある。
【００１５】
従来のレバー式コネクタは、コネクタハウジングの端子収納室に収納する雌端子を係止するのに，リテーナ（スペーサ）を用いている。そして、このリテーナ（スペーサ）によって雌端子を係止する際、コネクタハウジングの端子収納室側に設けられる仮係止用治具挿入孔と本係止用治具挿入孔にリテーナ操作治具を挿入してリテーナ（スペーサ）の仮係止と本係止とを行っている。
本件特許出願人は、従来のレバー式コネクタにおける仮係止用治具挿入孔と本係止用治具挿入孔からリテーナ操作治具を挿入してリテーナ（スペーサ）の仮係止と本係止する方法から、スペーサをスペーサ挿入口側から治具を用いて押し込み本係止することを考えついた。
【００１６】
すなわち、図１０に示す如く、スペーサ１１０とレバー１２０がコネクタハウジング１００に組み付けられた状態においては、スペーサ１１０は、コネクタハウジング１００で仮係止状態となっている。このスペーサ１１０は、治具１４０を用いて矢印方向にスペーサ１１０の上面を押圧し、スペーサ１１０を押し込む。この治具１４０によるスペーサ１１０の押し込みによって、スペーサ１１０は、雌端子１３０と仮係止状態となっている。このスペーサ１１０は、治具１４０を矢印方向に挿入し、図１１に示すスペーサ押し面１５０を治具１４０の押しピン１６０を押し当て、下方に押し込むことにより、コネクタハウジング１００にスペーサ１１０を本係止状態にする。
【００１７】
このような治具１４０を用いてスペーサ１１０のスペーサ押し面１５０に押しピン１６０を押し当て、スペーサ１１０を下方に押し込むことにより、仮係止用治具挿入孔と本係止用治具挿入孔を設けずにスペーサ１１０の本係止を行うことができる。そして、このスペーサ１１０のスペーサ押し面１５０は、レバー１２０が取り付けられている取り付け面側に配置される。したがって、レバー１２０が取り付けられていることにより、スペーサ１１０を押し込むために、治具１４０をスペーサ１１０に突き当てるスペーサ押し面１５０の位置は、３箇所と限られてしまう。
【００１８】
このため、治具１４０で、３箇所のスペーサ押し面１５０をコネクタハウジング１００の上から押し込む必要がある。ところが３箇所のスペーサ押し面１５０が、治具１４０の長手方向の中点を通る治具１４０の長手方向に対して直交する線に対して左右非対称に配置されているため、レバー１２０を逆に組み付けた場合、治具が入らず、新たに治具を設定し直す必要がある。
【００１９】
また、治具１４０の左右方向を逆にして使用してしまった場合には、スペーサ１１０を正しく挿入することはできず、さらには、コネクタハウジング１００を傷つけてしまう恐れがあるという問題点が生じる。
さらに、レバー１２０の取付向きを違えた場合（または、取付向き変えた場合）に、レバー１２０の取付向きを考慮せずに治具１４０の左右方向を逆にして使用してしまった場合には、スペーサ１１０を正しく挿入することはできず、コネクタを傷つけてしまう恐れがあるという問題点が生じる。
【００２０】
そこで、本件特許出願人は、スペーサをスペーサ挿入側から押し込むための治具を用い、スペーサ挿入用の治具の左右方向を取り違え、あるいはレバーの取付向きを違えても、スペーサ挿入用の治具によってハウジングコネクタを傷付けるのを防止することのできるレバー式コネクタを発明するに至った。
【実施例１】
【００２１】
以下、本発明を実施するための形態の実施例１について図１〜図９を用いて説明する。
図１は本発明に係るレバー式コネクタの分解斜視図、図２は図１に図示のレバー式コネクタを組み付けた状態で治具の使用を説明するための斜視図、図３は図１に図示のレバー式コネクタのスペーサが仮係止状態にある状態を示す断面図、図４は図１に図示のレバー式コネクタのスペーサが本係止状態にある状態を示す断面図、図５は図２に図示のレバー式コネクタの平面図、図６は図２に図示のレバー式コネクタのレバーの取付を左右反対に取り付けた状態の平面図、図７は図１に図示のレバー式コネクタのレバーを示す平面図、図８は図７に図示のレバー式コネクタのレバーのＢ部の拡大図、図９は図５に図示のレバー式コネクタのＡ−Ａ断面図である。
【００２２】
図１には、本発明に係るレバー式コネクタの分解斜視図が示されている。
図１において、レバー式コネクタ１は、コネクタハウジング２と、スペーサ３と、レバー４と、端子５とによって構成されている。
【００２３】
コネクタハウジング２は、合成樹脂製で構成されており、コネクタハウジング本体２１には、スペーサ挿入口２２が設けられている。このスペーサ挿入口２２は、スペーサ３を挿入するためのもので、スペーサ３が挿入されるようになっている。
このコネクタハウジング２は、相手側コネクタハウジング（図示されていない雄コネクタハウジング）と嵌合可能に構成されており、コネクタハウジング２のコネクタハウジング本体２１の後端面に、後方から端子５を挿入するように構成されている。
【００２４】
コネクタハウジング本体２１は、全体として略ブロック状に形成されており、その後端面に端子５を挿入する端子挿入口が開口して形成され、端子５が挿入されている。また、コネクタハウジング本体２１には、端子５を複数収容する端子収容室２３が設けられている。この端子収容室２３に相手側コネクタハウジング（図示されていない雄コネクタハウジング）が嵌脱自在に取り付けられるようになっている。
このコネクタハウジング本体２１と相手側コネクタハウジングの挿脱にレバー４が作用する。すなわち、コネクタハウジング２には、カム溝を有するレバー４が回動可能に装着され、このレバー４の回動操作によって相手側コネクタハウジングに設けられたカムピンがカム溝４１に沿って変位することで両コネクタハウジングが嵌合・離脱されるようになっている。
【００２５】
スペーサ３は、コネクタハウジング本体２１の外壁２４に形成されるスペーサ挿入口２２からコネクタハウジング本体２１内に挿入され、コネクタハウジング本体２１内に設けられたリテーナ収容部に収容される。
スペーサ３は、コネクタハウジング本体２１内のリテーナ収容部内において、コネクタハウジング本体２１に対しては、図３に示す如く、仮係止位置に係止された状態となっている。すなわち、コネクタハウジング２にスペーサ３とレバー４が組み付けられた状態においては、スペーサ３は仮係止状態に保持されており、端子５が挿入されていても、この状態では、スペーサ３によって端子５が係止された状態になっていない。
【００２６】
このようにコネクタハウジング本体２１にスペーサ２とレバー３を組み付け、端子４を挿入して、スペーサ２がコネクタハウジング本体２１内で仮係止状態に保持されている状態から、図２に示すように治具６を矢印方向に示す方向に挿入し、治具６の押しピン６２をスペーサ３の上面側のスペーサ押し面７に押し当て、スペーサ３を押し下げる。
このスペーサ３の上面側のスペーサ押し面７に治具６の押しピン６２を押し当て、治具６を押圧することによってスペーサ３を押し下げると、スペーサ３は、コネクタハウジング本体２１内のリテーナ収容部内において、コネクタハウジング本体２１に対しては、図３に示す如き仮係止位置に係止された状態から図４に示す如く、本係止位置に係止された状態に移行する。
【００２７】
このようにスペーサ３は、コネクタハウジング本体２１内のリテーナ収容部内において、図３に示す如き仮係止位置に係止された状態から図４に示す如き本係止位置に係止された状態に移行することによって、端子５をコネクタハウジング本体２１に係止させ、ランスによる係止と併せて端子５を二重係止状態にする。このように、端子５をランスによる係止と、スペーサ３による係止の二重係止状態にすることにより、端子５の抜けを確実に防止することができる。
【００２８】
レバー４は、カム溝４１を有し、コネクタハウジング本体２１を跨ぐように取り付けられるもので、コネクタハウジング本体２１のレバー装着面２５に突設される略円柱状の支軸２６に回動可能に支持されている。このレバー４は、コネクタハウジング本体２１の支軸２６で回転させることによって、相手側コネクタハウジングに設けられたカムピンをカム溝４１に沿って変位させ、相手側コネクタハウジングを引き込むことができるように構成されている。
このレバー４のコネクタハウジング本体２１のレバー装着面２５への取り付けは、レバー４のカム溝４１が形成されている両側のカム板４２を、外側に押し広げ、支軸２６を乗り越えて、レバー４のカム板４２の中心に設けられる軸受部４３にコネクタハウジング本体２１の支軸２６を嵌合することによって、レバー４のカム板４２が抜け止め状態で支持されるようになっている。
【００２９】
レバー４のカム板４２は、コネクタハウジング本体２１を上下から挟み込むように装着するもので、上カム板４２Ａと、下カム板４２Ｂによって構成されている。この上カム板４２Ａと下カム板４２Ｂとは、上カム板４２Ａの配置構成と、下カム板４２Ｂの配置構成とが、上カム板４２Ａと、下カム板４２Ｂによる挟持する挟持中心面で対称に構成されている。
すなわち、上カム板４２Ａの上方から見た構成と、下カム板４２Ｂの下方から見た構成とを並べたときに線対称となるように構成されている。
【００３０】
このレバー４のカム板４２には、図９に示すように位置決めロック４４が設けられている。この位置決めロック４４は、図９に示すようにコネクタハウジング２のロック係止部８に係止されレバー４を仮固定するものである。すなわち、この位置決めロック４４は、レバー４のカム板４２をコネクタハウジング本体２１のレバー装着面２５に取り付けたときのレバー４のカム板４２の位置決めを行い、レバー４を仮固定するためのものである。
【００３１】
このレバー４のカム板４２の位置決めロック４４には、治具６の押しピン６２をスペーサ３の上面側のスペーサ押し面７に押し当て、スペーサ３を押し下げるときの治具６の押しピン６２がカム板４２Ａ，４２Ｂを貫通する治具スペース４５Ａ，４５Ｂが設けられている。この治具スペース４５Ａ，４５Ｂは、レバー４のカム板４２Ａ，４２Ｂを貫通する貫通穴によって構成されている。
このように構成される上カム板４２Ａの構成と、下カム板４２Ｂの構成は、上カム板４２Ａを上方から見たときの治具スペース４５Ａの位置は、下カム板４２Ｂを下方から見たときの治具スペース４５Ｂの位置と同じ位置となる。
【００３２】
一方、治具６は、スペーサ３と略同じ長さの長方形状の治具本体６１と、治具本体６１の下面側に設けられ、治具本体６１の下方に突出する棒状の押しピン６２とによって構成されている。この治具６の押しピン６２は、スペーサ３の上面側のスペーサ押し面７に押し当て、スペーサ３を押し下げるためのもので、治具本体６１のスペーサ３の長手方向、すなわち治具本体６１の長手方向に直交する治具本体６１の中心を通る線で左右対称な位置に設けられている。
すなわち、レバー４の位置決めロック４４を形成するための空間を左右対称になる位置に設定し、治具押しスペース４５として設けることにより、図５に示すように、スペーサ３の上面側のスペーサ押し面７が４箇所とすることができる。
【００３３】
したがって、治具６の押しピン６２が治具本体６１の長手方向に直交する治具本体６１の中心を通る線で左右対称な位置に設けられているため、スペーサ３の上面側のスペーサ押し面７に押し当て、スペーサ３を押し下げる際に、治具６を左右取り違えて使用しても、治具６の押しピン６２がスペーサ３の上面側のスペーサ押し面７に押し当てられ、スペーサ３を押し下げることができ、治具６の押しピン６２によってコネクタハウジング本体２１を傷つけることはない。
また、レバー４のカム板４２Ａの取付位置と、カム板４２Ｂの取付位置とを反転させて取り付けても、同一の治具６で対応することができる。
【００３４】
本発明は本発明の主旨を変えない範囲で種々変更実施可能なことは勿論である。
【符号の説明】
【００３５】
１……………レバー式コネクタ
２……………コネクタハウジング
３……………スペーサ
４……………レバー
５……………端子
６……………治具
７……………スペーサ押し面
８……………ロック係止部
２１…………コネクタハウジング本体
２２…………スペーサ挿入口
２３…………端子収容室
２４…………外壁
２５…………レバー装着面
２５…………支軸
４１…………カム溝
４２…………カム板
４２Ａ………上カム板
４２Ｂ………下カム板
４３…………軸受部
４４…………位置決めロック
４５…………治具押しスペース
６１…………治具本体
６２…………押しピン
【図１】
0005607446.tif 000002
【図２】
0005607446.tif 000003
【図３】
0005607446.tif 000004
【図４】
0005607446.tif 000005
【図５】
0005607446.tif 000006
【図６】
0005607446.tif 000007
【図７】
0005607446.tif 000008
【図８】
0005607446.tif 000009
【図９】
0005607446.tif 000010
【図１０】
0005607446.tif 000011
【図１１】
0005607446.tif 000012